(57)【特許請求の範囲】
【請求項１】
第１の側壁と、前記第１の側壁に入隅部を挟んで隣接する第２の側壁と、前記第１の側壁を背側として前記第１の側壁に沿って設けられるベンチと、前記ベンチに隣接するとともに前記第１の側壁に接して収容される台状カウンターと、前記第２の側壁に設けられる水栓とを備え、前記カウンターが前記ベンチから独立して移動可能な浴室であって、
前記ベンチは、跳ね上げ可能に前記第１の側壁に片持ち支持される板状をなし、
前記カウンターは、脚部を有し、
前記水栓は、水栓台から突設されており、
前記水栓台は、前記第２の側壁の前記入隅部寄りにおいて浴槽に対抗するよう設けられ、基台部の前記浴槽に対抗する面が、第２の側壁に平行に設けられており、
前記カウンターが前記脚部の下端を前記基台部の前記浴槽に対抗する面に当接させるようにして前記水栓の直下に収容できることを特徴とする浴室。
【請求項２】
前記カウンターの脚部は、第１の側壁にも当接する請求項１に記載の浴室。
【請求項３】
前記ベンチのカウンターと逆側の端縁に隣接する浴槽を備え、
前記浴槽の框上面、前記ベンチの天面、及び前記カウンターの天面が面一に設けられている請求項１、又は請求項２に記載の浴室。
【発明の詳細な説明】
【技術分野】
【０００１】
この発明は、高齢者等と健常者とが共用する浴室に関し、特に、高齢者等が側壁を背もたれとできるよう設けたベンチを備える浴室に関する。
【背景技術】
【０００２】
近年、上体の支持が困難な高齢者等のために、側壁を背もたれとすべく側壁に沿ってベンチを設けた浴室が広く利用されるに至っている。そして、かかるベンチは、高齢者等を介護する介護者や浴室を共用する健常者にとっては、浴室を狭くする等、快適さを損ねる要因となるため、これを解消すべく各種の提案がなされている。
【０００３】
例えば、特許文献１では、壁を背もたれとするカウンター（ベンチ）に欠部を設け、この欠部に浴室用の腰掛を挿抜自在に格納することにより、腰掛が浴室内に放置されることによる雑然さや、腰掛につまずくことを解消した浴室が提案されている。
【０００４】
また、特許文献２では、洗い場を挟んで対向する浴槽と洋式便器の間にベンチを架け渡し、ベンチを折り畳み式とすることで介護者や健常者に必要なスペースを確保するようにした浴室が提案されている。
【０００５】
また、特許文献３では、浴槽と、浴槽に対向する壁面との間に架け渡された腰掛部（ベンチ）を備えた浴室が提案されている。特許文献３の浴室では、浴槽の洗い場側となるリム（框）上にシャワーヘッドを具備した鉛直棒状の手摺りと、シャワーを操作するハンドルとを設けることで、従来、浴室内の各所に配されていた洗面台や複数の手すりを省略して、室内スペースを確保するようにしている。
【先行技術文献】
【特許文献】
【０００６】
【特許文献１】実公平７−１３５９２号公報
【特許文献２】特開平９−２３４１６６号公報
【特許文献３】特開２０１３−１７９９８９号公報
【発明の概要】
【発明が解決しようとする課題】
【０００７】
しかし、特許文献１乃至特許文献３の浴室には、以下のような問題が有る。
即ち、特許文献１に係る浴室では、洗面カウンターが洗い場側へ突出しており、カウンター（ベンチ）に座った高齢者からも、腰掛に座った健常者からも水栓が遠くて無理な姿勢を強いられるという問題や、また、ベンチに腰かけた高齢者等が、腰掛に洗面器を乗せて使用しようとしても、水栓金具と位置関係の良い場所に腰掛を置けず、洗面器を使いづらいという問題が有る。
また、特許文献２の浴室では、ベンチを折り畳むことで健常者や介護者は浴室を広く使うことができるものの、ベンチに座ったままでは水栓を使用できないという問題が有る。
さらに、特許文献３では、腰掛部に座った高齢者が手の届く場所に洗面器を置く場所がないという問題が有る。
本発明は、上記課題に鑑みてなされたものであり、壁を背もたれとするベンチに腰を掛けた高齢者が、楽な姿勢で水栓や洗面器を使用できるとともに、健常者や介護者がスペースを広く利用できる浴室の提供を目的とする。
【課題を解決するための手段】
【０００８】
上記課題を解決するためになされた発明は、第１の側壁と、前記第１の側壁に入隅部を挟んで隣接する第２の側壁と、前記第１の側壁を背側として前記第１の側壁に沿って設けられるベンチと、前記ベンチに隣接するとともに前記第１の側壁に接して収容される台状カウンターと、前記第２の側壁に設けられる水栓とを備え、前記カウンターが前記ベンチから独立して移動可能な浴室であって、前記ベンチは、跳ね上げ可能に前記第１の側壁に片持ち支持される板状をなし、前記カウンターは、脚部を有し、前記水栓は、水栓台から突設されており、前記水栓台は、前記第２の側壁の前記入隅部寄りにおいて浴槽に対抗するよう設けられ、基台部の前記浴槽に対抗する面が、第２の側壁に平行に設けられており、前記カウンターが前記脚部の下端を前記基台部の前記浴槽に対抗する面に当接させるようにして前記水栓の直下に収容できることを特徴とする。
【０００９】
このように、本発明の浴室では、カウンターを跳ね上げ式にしたので、高齢者等の介護を行う介護者や浴室を共用する健常者らが室内のスペースを広く利用することができる。
加えて、カウンターをベンチから独立して移動可能にしたので、ベンチを跳ねあげて、カウンターを水栓から少し離れた位置に引き下げることで、健常者が楽な姿勢で水栓を使用できる。
また、ベンチに隣接するカウンターの直上に水栓を配置したので、ベンチに腰をかけた高齢者等から水栓が近く、高齢者は楽な姿勢で水栓を使用することができる。
また、カウンターを移動させると、ベンチと水栓の間に片足若しくは両足を入れて水栓側に体を向けることがきるため、楽な姿勢で水栓を利用することができる。
さらに、カウンターを移動させると、水栓の下に足を入れることができるので、水栓から直接足に水を掛けて足を洗うことができる。
【００１０】
前記カウンターの脚部は、第１の側壁にも当接することが好ましい。
【００１３】
本発明の浴室は、前記ベンチのカウンターと逆側の端縁に隣接する浴槽を備え、前記浴槽の框上面、前記ベンチの天面、及び前記カウンターの天面が面一に設けられていることが好ましい。こうすることで、高齢者が浴槽へ入る際にベンチを移乗台として使用でき、また、ベンチとカウンターに加えて浴槽にも意匠的なまとまりを持たせることができる。
【発明の効果】
【００１４】
以上説明したように、本発明の浴室によれば、高齢者、健常者共に楽な姿勢で水栓や洗面器を使用でき、健常者や介護者が広く室内のスペースを使うことができる。
【図面の簡単な説明】
【００１５】
【図１】本発明の一の実施形態に係る浴室において、水平に展開したベンチの隣にカウンターを収容した様子を示す斜視図である。
【図２】図１の浴室において、ベンチを跳ね上げてカウンターを水栓から離れる方向に移動した様子を示す斜視図である。
【図３】図１に示したベンチの（ａ）水平に展開した様子を示す斜視図、（ｂ）跳ね上げ姿勢を示す斜視図である。
【図４】図１に示した浴室の（ａ）ベンチを水平に展開した状態を示す部分断面正面図、（ｂ）ベンチを跳ね上げた状態を示す部分断面正面図である。
【図５】背もたれと、跳ね上げたベンチの第２の側壁からの突出高さの関係を示す側面図である。
【発明を実施するための形態】
【００１６】
以下、適宜図面を用いながら本発明の実施形態について詳述する。ただし、本発明は、以下の実施形態に限定されるものではない。
図１は、本発明の第１実施形態に係る浴室１００を示している。浴室１００は、いわゆるユニット式の浴室であり、平面視矩形の防水パンの周縁に４枚の壁パネルを立設し、壁パネルの上端に天井パネルを張設して形成され、長方形の浴槽１０と、その手前（図１の左）に隣接する洗い場２０が設けられている。
【００１７】
浴室１００は、浴槽１０の側方（図１の奥側）に立設される第１の側壁３０と、洗い場２０を挟んで浴槽１０に対向する第２の側壁４０と、第１の側壁３０に設けられるベンチ５０と、ベンチ５０の第２の側壁側に設けられるカウンター６０と、第２の側壁４０に設けられる水栓７１と、第１の側壁３０に設けられる背もたれ８０と、を備えている。第１の側壁３０と第２の側壁４０は、入隅部９０を挟んで隣接している。
【００１８】
ベンチ５０は、図３に示すように、第１の側壁３０に沿う横方向に長い矩形の板材からなる座板５１と、第１の側壁３０に固定されて座板５１を枢支する左右一対の枢支部５２，５２と、左右の枢支部５２，５２に架け渡されて座板５１を水平状態に保持する板状のストッパー５３とを備えている。座板５１は、図３（ａ）に示した略水平となる着座姿勢と、図３（ｂ）に示した第１の側壁３０に略平行となる跳ね上げ姿勢との間で回動する。
【００１９】
カウンター６０は、図１に示すように、樹脂により一体成型された矩形の板状部材からなる天板６１と、ステンレス等の金属管を折り曲げ加工した脚部６２とを備えている。
【００２０】
水栓７１は、図１に示すように、第２の側壁４０の入隅部９０寄りにおいて浴槽１０に対向するよう設けられた水栓台７０に設けられている。水栓台７０は、上端部に水栓７１やシャワーヘッド７２の水量・温度を調節するハンドル７３，７４を支持する操作台７０ａと、操作台７０ａの下方の後方へ窪んだ凹部７０ｂと、凹部７０ｂよりやや前方へ張り出した基台部７０ｃとからなり、水栓７１は、操作台７０ａの下面から洗い場２０側へ突設されている。
【００２１】
カウンター６０は、図１、図４（ａ）に示すように、ベンチ５０と水栓台７０の基台部７０ｃの前面と第１の側壁３０の間の収容部６３に、平面視で概ね隙間なく、かつ水栓７１の下方に潜り込むよう収容され、水栓７１からの吐水がカウンター６０の天面６１ａに当たるような高さと大きさに設けられている。
また、図４（ａ）に示すように、着座姿勢における座板５１の天面５１ｃと、カウンター６０の天面６１ａと、浴槽１０の洗い場側の框の上面１１とは、略面一に設けられている。
【００２２】
背もたれ８０は、図４に示すように、ベンチ５０と浴槽１０に跨るように設けられ、水平方向に延びる長板状の枕部８１と、枕部８１を支持する支持部材８２とを備えている。背もたれ８０は、図５に示すように、下方の空間にベンチ５０を収容可能な高さに設けられ、ベンチ５０は、跳ね上げ姿勢において第１の側壁３０からの突出高さＨ１が、背もたれ８０の第１の側壁３０からの突出高さＨ２以下に収まるよう設けられている。また、枕部８１は、手摺りとして使用できるよう、支持部材８２により第１の壁面３０からやや離間して支持され、枕部８１の裏面には、枕部８１を手摺りとして使用する際に手がかりとすべく枕部の長手方向に延びる凹条８１ａが設けられている。
【００２３】
また、背もたれ８０の第２の側壁４０側の端縁８０ａの位置と、ベンチ５０の座板５１の第２の側壁４０側の端縁５１ａ、及び枢支部５２の第２の側壁側の端縁５２ａとが、上下に揃えられている。
【００２４】
次に、本実施形態に係る浴室１００の使用方法、及び各部の効果について説明する。
上体を支持することが困難な高齢者等が水栓７１を使用する場合には、図１に示した様に、ベンチ５０の座板５１を水平に展開し、座板５１に腰を下ろす。この際、背もたれ８０にもたれて上体を支持することができる。そして、カウンター６０の天板６１の上に洗面器を載置する。ここで、カウンター６０は、ベンチに隣接して、かつ水栓７１の直下に配置されているので、ベンチ５０に腰を下ろした高齢者等は、無理な姿勢を強いられることなく水栓７１やカウンター６０に載置した洗面器（不図示）を使用することができる。この際、ベンチ５０の天面５１ｃとカウンター６０の天面６１ａが面一に設けられているので、このことからも、洗面器を使用する際に無理な姿勢を取る必要がなく、また、洗面器をスライドさせてカウンター６０からベンチ５０へ移動でき、カウンター６０とベンチ５０に跨って洗面器を置くことができる。
【００２５】
また、ベンチに腰を下ろした高齢者等は、カウンター６０を収容部６３から取り出し、収容部３へ片足又は両足を入れることで、水栓７１の方へ体を向けることができる。また、収容部３へ足を入れることは、水栓７１の下に足を入れることになるので、水栓７１からの吐水を直接足に注ぐことができる。この際、カウンター６０を手元の好きな位置におくことで、楽な姿勢で洗面器を使用することができる。
【００２６】
高齢者等が、浴槽１０に浸かる場合は、ベンチ５０を移乗台として利用することができる。ベンチ５０に腰を下ろした高齢者等は、お尻をずらしながら浴槽１０へ近づき、足を上げて浴槽１０の中へ入れたのち、さらに浴槽の框の上面１１までお尻を移動させる。この際、ベンチ５０と浴槽の框の上面１１が面一に設けられているので、ベンチ５０から浴槽１０へ容易に体を移乗できる。また、背もたれ８０が、浴槽１０の上方まで延出しているので、浴槽の第１の側壁３０側の框に腰をかけるところまで体を移乗させても、背もたれ８０から頭部や背中が外れることが無い。
【００２７】
さらに、カウンター６０の天面６１ａも浴槽１０の框の上面１１と面一に設けられているので、カウンター６０を浴槽１０の隣へ移動させて、カウンター１０を移乗台として使用することもできる。
【００２８】
ベンチ５０を跳ね上げることで、広く浴室を使うことができる。例えば、健常者が、水栓７１を使用する際には、図２に示すように、ベンチ５０を跳ね上げてカウンター６０を水栓７１から離して後方（図２の左側）へ移動させ、カウンター６０に座って水栓７１を利用する。こうすることで、健常者は、水栓７１の正面で、かつ水栓７１から好みの位置に座ることができるので、無理な姿勢を強いられることなく水栓７１を使用することができる。また、ベンチ５０を跳ね上げると、ベンチ５０の下面や床の清掃が容易である。
【００２９】
また、高齢者等がつかまり立ちできる軽介護者の場合には、ベンチ５０を跳ね上げ、高齢者等に背もたれ８０を手摺りとしてつかまり立ちさせた状態で、介護者は、高齢者等にシャワーをかけることができる。カウンター６０を収容部６３から別の場所へ移動させれば、介護者は、高齢者等のまわりを自由に動くことができる。
【００３０】
ベンチ５０の座板５１は、図５に示すように、跳ね上げると背もたれ８０の下方に収容されるので、誤って座板５１を掴んで倒してしまうことを抑制できる。本実施形態では、ベンチ５０の第１の壁面３０からの突出高さＨ１が、背もたれ８０の壁面３０からの突出高さＨ２よりも小さく設けられているので、座板５１が、さらに掴みにくい。
【００３１】
また、ベンチ５０の座板５１、及び枢支部５２の第２の壁面側の端面５１ａ，５２ａ（図３参照）は、背もたれ８０の同じ側の端縁８０ａと面一に揃えられているので、座板５１の角や背もたれ８０の角に頭や体をぶつけることを抑制できる。
【００３２】
本発明の浴室は、上述の実施形態に限られるものではなく、例えば、カウンターの天面は、ベンチの天面より低くすることもできる。背もたれは、ベンチの上方のみに設けるようにしてもよいし、省略することもできる。洗面台を省略して第２の側壁から直接水栓を突出させるようにしてもよい。
【符号の説明】
【００３３】
１００  浴室
１１  框上面
２０  洗い場
３０  第１の側壁
４０  第２の側壁
５０  ベンチ
５１ｃ  ベンチの天面
６０  カウンター
６１ａ  カウンターの天面
７１  水栓金具
８０  背もたれ
９０  入隅部
Ｈ１  ベンチの第１の側壁からの突出高さ
Ｈ２  背もたれの第１の側壁からの突出高さ
【図１】
0006641162.tif 000002
【図２】
0006641162.tif 000003
【図３】
0006641162.tif 000004
【図４】
0006641162.tif 000005
【図５】
0006641162.tif 000006